(57)【要約】【課題】  卓上小物と書類・ファイルをまとめて区分整理して収納し、さらに持ち運びの容易な卓上整理ケースの提供。【解決手段】  底板１と後方壁２と前方壁５と側壁６とが略長方形の板状プレートである上方に開口している箱体状の卓上整理ケースであって、後方壁と間隔をおいて平行に立設される略長方形の板状プレートの第一内壁３と、第一内壁と間隔をおいて平行に立設される略長方形の板状プレートの第二内壁４とを有する。  第一内壁３は、後方壁２よりも高さが低く、第二内壁４は、第一内壁３よりも高さが低く、前方壁５は、略中央部の高さが第二内壁４よりも低く略コ字形状に形成されている。第二隔室を画成する着脱可能な仕切片が嵌合される断面凹形状の嵌合溝を形成する一対の突起が第一内壁と第二内壁の下方の互いに対向する位置に下端部から高さ方向に延出形成され横方向に間隔をおいて複数配列されている。【選択図】      図１
0003117376.tif 000002
【実用新案登録請求の範囲】
【請求項１】
底板と後方壁と前方壁と側壁とが略長方形の板状プレートである上方に開口している箱体状の卓上整理ケースであって、前記後方壁と間隔をおいて平行に立設される略長方形の板状プレートの第一内壁と、
前記第一内壁と間隔をおいて平行に立設される略長方形の板状プレートの第二内壁とを有し、
前記後方壁と第一内壁と底板と側壁とで第一隔室が形成され、
前記第一内壁と第二内壁と底板と側壁とで第二隔室が形成され、
前記第二内壁と前方壁と底板と側壁とで第三隔室が形成され、
前記各壁の高さは前方にゆくにしたがって順次低く形成されており、
前記後方壁の略中央上部には、握持可能な開口部が設けられており、
前記第二隔室を画成する着脱可能な仕切片が嵌合される断面凹形状の嵌合溝を形成する一対の突起が前記第一内壁と第二内壁の下方の互いに対向する位置に下端部から高さ方向に延出形成されるとともに、横方向に間隔をおいて複数配列されていることを特徴とする卓上整理ケース。
【請求項２】
底板と後方壁と前方壁と側壁とが略長方形の板状プレートである上方に開口している箱体状の卓上整理ケースであって、前記後方壁と間隔をおいて平行に立設される略長方形の板状プレートの第一内壁と、
前記第一内壁と間隔をおいて平行に立設される略長方形の板状プレートの第二内壁とを有し、
前記後方壁と第一内壁と底板と側壁とで第一隔室が形成され、
前記第一内壁と第二内壁と底板と側壁とで第二隔室が形成され、
前記第二内壁と前方壁と底板と側壁とで第三隔室が形成され、
前記第一内壁は、前記後方壁よりも高さが低く形成されており、
前記第二内壁は、前記第一内壁よりも高さが低く形成されており、
前記前方壁は、略中央部の高さが第二内壁よりも低くなり略コ字形状に形成されており、
前記後方壁の略中央上部には、握持可能な開口部が設けられており、
前記第二隔室を画成する着脱可能な仕切片が嵌合される断面凹形状の嵌合溝を形成する一対の突起が前記第一内壁と第二内壁の下方の互いに対向する位置に下端部から高さ方向に延出形成されるとともに、横方向に間隔をおいて複数配列されていることを特徴とする卓上整理ケース。
【請求項３】
前記第二隔室には、上方に開口している箱体である第一小物ボックスと第二小物ボックスと第三小物ボックスのうち少なくとも一つが着脱可能に設けられ、これらの小物ボックスは、下方に間隙を設けながら前記突起により、横方向にスライド可能に支持されることを特徴とする請求項１又は２に記載の卓上整理ケース。
【請求項４】
前記第三隔室は、固定仕切片により左収納部、中央収納部、右収納部に区画され、前記中央収納部には、上方に開口している箱体である第一小物ボックスと第二小物ボックスと第三小物ボックスのうち少なくとも一つが着脱可能に設けられ、横方向にスライド可能に装着されることを特徴とする請求項３に記載の卓上整理ケース。
【請求項５】
前記第三隔室は、固定仕切片により左収納部、中央収納部、右収納部に区画され、左右収納部には少なくとも一対のリブが対角の下端角部から高さ方向に延出して設けられ、前記第三小物ボックスが下方に間隙を設けながら前記一対のリブによって支持されて左右収納部に装着されることを特徴とする請求項４に記載の卓上整理ケース。
【考案の詳細な説明】
【技術分野】
【０００１】
本考案は、机上にあるこまごまとした事務関連の小物や書類等をまとめて区分して整理することのできる卓上整理ケースに関するものである。
【背景技術】
【０００２】
オフィスの机の上には様々な小物や書類、ファイルが存在するが、事務作業中に収納保管場所から出し入れされることにより机上は散らかり、作業効率が落ちることになる。そこで、机上の事務用品小物や各種の書類を収納整理するための用品として小物整理箱やブックエンドなどが知られている。
【考案の開示】
【考案が解決しようとする課題】
【０００３】
しかしながら、かかる小物整理箱はペン、クリップ、ホッチキス、消しゴム、付箋、判子などのこまごまとした小物を整理保管するだけで、Ａ４サイズの書類やファイルと小物とを一緒に整理収納するものではなかった。また、ブックエンドでは、Ａ４サイズとハガキサイズなど大きさの異なる書類をまとめて収納すると、伝票やハガキなど比較的小さなサイズの書類が紛れてしまい必要なときに迅速に発見することが困難であるといったことがあり、書類の大きさ毎に区分けして収納整理できるものが望まれていた。
さらに、事務作業を所定の場所以外で行う必要が生じた場合には、事務用品小物や必要書類、ファイルなどを移動させる必要があるが、従来の小物入れ、ブックエンドなどでは、小物入れやファイル、書類などを別個に移動させる必要があり、一度に一括に簡易に移動させることは困難であった。
さらに、収納スペースの無駄がなく整理して収納できる卓上小物の整理ケースが望まれていた。
【０００４】
本考案は、かかる事情に鑑みてなされたものであり、事務用品小物と大きさの異なる書類・ファイルをまとめて区分整理して収納し、収納物を探す手間が著しく軽減され、持ち運びの容易な収納スペースの無駄がない卓上整理ケースの提供を目的とする。
【課題を解決するための手段】
【０００５】
上記の課題を解決するため、請求項１に記載の卓上整理ケースは、底板と後方壁と前方壁と側壁とが略長方形の板状プレートである上方に開口している箱体状の卓上整理ケースであって、前記後方壁と間隔をおいて平行に立設される略長方形の板状プレートの第一内壁と、前記第一内壁と間隔をおいて平行に立設される略長方形の板状プレートの第二内壁とを有し、前記後方壁と第一内壁と底板と側壁とで第一隔室が形成され、
前記第一内壁と第二内壁と底板と側壁とで第二隔室が形成され、
前記第二内壁と前方壁と底板と側壁とで第三隔室が形成され、
前記各壁の高さは前方にゆくにしたがって順次低く形成されており、
前記後方壁の略中央上部には、握持可能な開口部が設けられており、
前記第二隔室を画成する着脱可能な仕切片が嵌合される断面凹形状の嵌合溝を形成する一対の突起が前記第一内壁と第二内壁の下方の互いに対向する位置に下端部から高さ方向に延出形成されるとともに、横方向に間隔をおいて複数配列されていることを特徴とする。
【０００６】
請求項２に記載の卓上整理ケースは、底板と後方壁と前方壁と側壁とが略長方形の板状プレートである上方に開口している箱体状の卓上整理ケースであって、前記後方壁と間隔をおいて平行に立設される略長方形の板状プレートの第一内壁と、前記第一内壁と間隔をおいて平行に立設される略長方形の板状プレートの第二内壁とを有し、前記後方壁と第一内壁と底板と側壁とで第一隔室が形成され、
前記第一内壁と第二内壁と底板と側壁とで第二隔室が形成され、
前記第二内壁と前方壁と底板と側壁とで第三隔室が形成され、
前記第一内壁は、前記後方壁よりも高さが低く形成されており、
前記第二内壁は、前記第一内壁よりも高さが低く形成されており、
前記前方壁は、略中央部の高さが第二内壁よりも低くなり略コ字形状に形成されており、前記後方壁の略中央上部には、握持可能な開口部が設けられており、
前記第二隔室を画成する着脱可能な仕切片が嵌合される断面凹形状の嵌合溝を形成する一対の突起が前記第一内壁と第二内壁の下方の互いに対向する位置に下端部から高さ方向に延出形成されるとともに、横方向に間隔をおいて複数配列されていることを特徴とする。
【０００７】
請求項３に記載の卓上整理ケースは、前記特徴に加えて、前記第二隔室には、上方に開口している箱体である第一小物ボックスと第二小物ボックスと第三小物ボックスのうち少なくとも一つが着脱可能に設けられ、これらの小物ボックスは、下方に間隙を設けながら前記突起により、横方向にスライド可能に支持されることを特徴とする。
【０００８】
請求項４に記載の卓上整理ケースは、前記特徴に加えて、前記第三隔室は、固定仕切片により左収納部、中央収納部、右収納部に区画され、前記中央収納部には、上方に開口している箱体である第一小物ボックスと第二小物ボックスと第三小物ボックスのうち少なくとも一つが着脱可能に設けられ、横方向にスライド可能に装着されることを特徴とする。
【０００９】
請求項５に記載の卓上整理ケースは、前記特徴に加えて、前記第三隔室は、固定仕切片により左収納部、中央収納部、右収納部に区画され、左右収納部には少なくとも一対のリブが対角の下端角部から高さ方向に延出して設けられ、前記第三小物ボックスが下方に間隙を設けながら前記一対のリブによって支持されて左右収納部に装着されることを特徴とする。
【考案の効果】
【００１０】
本考案に係る卓上整理ケースによると、こまごまとした事務用品小物と大きさの異なる書類・ファイルを一括してまとめて区分整理して収納することが可能となり、収納物の所在が一見して分かるので必要な事務用品小物や必要書類を探す手間が著しく軽減され作業効率が飛躍的に向上するものである。
【００１１】
さらに、作業場所を移動させる必要が生じても、必要な事務用品小物や必要書類を一括して簡易迅速に持ち運ぶことができる。
【００１２】
さらに、各小物ボックスが第二隔室及び第三隔室中央収納部に横方向にスライド可能に装着することができ、また必要に応じて取り外すこともできるので、収納物の形状に応じて組み合わせることができ、横方向のスペースの無駄がなく整理して収納可能である。
【００１３】
さらに、第二隔室に装着された各小物ボックスは下方に間隙を設けて装着され、加えて、第三小物ボックスは第三隔室の左右収納部に下方に間隙を設けて装着することができ、内部に収納されている収納物の上方にデッドスペースがある場合に、上下方向のスペースの無駄がなく整理して収納可能である。
【考案を実施するための最良の形態】
【００１４】
以下、本考案の卓上整理ケースについて、図面を参照しながら説明するが、本考案はこれらの実施例に記載されたもののみに限定されるものではない。
図１は、本考案の一実施例を示す卓上整理ケースＡの外観斜視図である。
図２は、本考案の卓上整理ケースの平面図である。図３は、図２のＸ−Ｘ線にて切り欠いた本考案の卓上整理ケースの正面視断面図である。図４は、図２のＹ−Ｙ線での断面図である。図５は、図２のＺ−Ｚ線での断面図である。
【００１５】
図１に示されるように、本考案に係る卓上整理ケースＡは、底板１（図示せず）に対して略垂直に立設される後方壁２と、後方壁２と間隔をおいて平行に立設される第一内壁３と、第一内壁３と間隔をおいて平行に立設される第二内壁４と、第二内壁４と間隔をおいて平行に立設される前方壁５と、後方壁２と第一内壁３と第二内壁４と前方壁５の側面で接合されている側壁６、６を両側面に備えている。
【００１６】
図４に示されるように、底板１は、熱可塑性の合成樹脂からなる横長の長方形の板状のプレートであって、長辺側の一端部において後方壁２と略垂直に接合されている。
底板１の底面の両端付近には一対の支持突片１１、１１が下方にやや突出して短辺方向に延出して設けられている。これにより机やトレーなどに載置した場合の安定性が向上する。
【００１７】
後方壁２は、底板１と長辺側の一端部において略垂直に接合されており、熱可塑性の合成樹脂からなる横長の長方形の板状のプレートである。
本実施例では、後方壁２の略中央上部に、握持可能な開口部２１を設けている。このような開口部２１が設けられていることで、片手でしっかりと握持することが可能となり、持ち運びがよりいっそう容易になる。開口部２１の形状、大きさは特に限定されないが、手指４本程度が挿通可能な程度の大きさの楕円形状が好ましい。
【００１８】
図２に示されるように、第一内壁３は、熱可塑性の合成樹脂からなる横長の長方形の板状のプレートであって、後方壁２と間隔をおいて平行に立設されており、後方壁２と第一内壁３と底板１と側壁６、６とで第一隔室７が形成される。
この第一隔室７には大きめのサイズの書類などが収納される。すなわち、Ａ４サイズの書類やファイルなどの大きめサイズのものが長辺横向きで収納可能になっている。
【００１９】
第二内壁４は、熱可塑性の合成樹脂からなる横長の長方形の板状のプレートであって第一内壁３と間隔をおいて平行に立設されており、第一内壁３と第二内壁４と底板１と側壁６、６とで第二隔室８が形成される。
図２、図３に示されるように、第一内壁３と第二内壁４とが互いに対向する各々の面の下方において、一対の突起３０、３０、４０、４０が互いに対向する位置に下端部から高さ方向に形成されるとともに横方向に間隔をおいて複数配列されており、それらの突起間に高さ方向に延びる凹部としての嵌合溝３１、嵌合溝４１が形成されている。
【００２０】
すなわち、一対の突起３０、３０は、第一内壁３の第二内壁４との対向面の下端部から高さ方向に形成されて横方向に間隔をおいて複数配列されており、突起３０、３０の間に嵌合溝３１が高さ方向に延びて形成されている。これに対して、一対の突起４０、４０は、第二内壁４の第一内壁３との対向面の下端部から高さ方向に形成されて横方向に間隔をおいて複数配列されており、突起４０、４０の間に嵌合溝４１が高さ方向に延びて形成されている。
【００２１】
一対の突起３０、３０、４０、４０の高さは特に限定されないが、高さが低すぎると仕切片８１の支持状態が安定しないので好ましくない。本実施例では、第二内壁４の高さの半分程度すなわち４３ｍｍの高さとしている。
横方向に複数配列されている一対の突起３０、３０、４０、４０の配列の間隔は特に限定されず、適宜選択可能である。本実施例においては、約１７ｍｍの間隔で配置されている。
また、本実施例では、一対の突起３０、３０、４０、４０は下端部から高さ方向に形成されている構成としたが、別の実施例として下端部を起点とするのではなく下端部のやや上方を起点としてそこから高さ方向に延びる構成としてもよい。
【００２２】
このように形成された突起３０、４０の間の嵌合溝３１、４１は対向しており、図２、図３に示されるように、各溝に仕切片８１の側端部が嵌合されて、仕切片８１が起立状態に支持される。
【００２３】
仕切片８１は、嵌合溝３１、４１に適合するように構成された熱可塑性樹脂からなる細幅の矩形片とされている。本実施例においては、嵌合溝の高さに相当する仕切片の略中央収納部を境に片の上部の外周が一回り小さい構成となっている。
このような構成なので仕切片８１の側端部がその下部において嵌合溝にしっかりと嵌めこまれるとともに、仕切片を取り出すときには、仕切片の側端部の上部においては内壁との間に隙間があるので、仕切片の側端部の上部が壁に引っ掛からずにスムーズに取り出すことができる。
【００２４】
そして、複数の嵌合溝３１、４１のうち任意の溝に仕切片８１の側端部が嵌合されることによって、第二隔室８は所望の横幅を有する複数の領域に区切られることになる。
例えば、ハガキや伝票などの比較的小さな紙類を収納したい場合には、それらの収納物の大きさに応じて、仕切片８１の側端部を任意の嵌合溝３１、４１に嵌合させればよい。
また、仕切片８１は着脱可能な構成となっているので、大きさの異なる小物（例えば、電卓や携帯電話など）を収納する必要が生じた場合には、従前の嵌合溝３１、４１から仕切片８１を取り外して、別の嵌合溝３１、４１に嵌合すればよい。
さらに、本実施例では、仕切片８１は複数枚を設けているので、必要に応じて適宜、第二隔室８の領域を区切ることができるので便宜である。
【００２５】
さらに、第二隔室３は、第一小物ボックスＢ１、第二小物ボックスＢ２、第三小物ボックスＢ３が着脱可能になっており、これらの小物ボックスは、熱可塑性合成樹脂からなる上方に開口している箱体である。そして、クリップや判子、消しゴム、ホッチキスの箱などのこまごまとしたものを収納することができる。クリップ等の小物を取り出しやすくするために、第一小物ボックスＢ１、第三小物ボックスＢ３ではその底部が丸く底上げされている。第二小物ボックスＢ２では、二つの内板により内部が３つに区画されている。
【００２６】
第一小物ボックスＢ１、第二小物ボックスＢ２、第三小物ボックスＢ３が第二隔室８に装着される場合は、第一内壁３及び第二内壁４にそれぞれ形成された突起３０、４０によって支持され、第二隔室８内を横方向にスライド可能な構成になっている。例えば、第一小物ボックスＢ１が第二隔室８に装着される場合には、図３に示されるように、下方に間隙を設けながら突起３０、４０によって横方向にスライド可能に支持されている。
【００２７】
このように、各小物ボックスを第二隔室内に横方向にスライド可能に装着することができ、また必要に応じて取り外すこともできるので、収納物の形状に応じて組み合わせることができ、横方向のスペースの無駄がなく整理して収納可能である。
さらに、第二隔室８に装着された各小物ボックスは下方に間隙を設けて装着されるので、第二隔室の内部に収納されている収納物の上方にデッドスペースがある場合に、上下方向のスペースの無駄がなく整理して収納可能である。
【００２８】
前方壁５は、熱可塑性の合成樹脂からなる略中央部の高さが第二内壁よりも低くなり略コ字形状に形成されている板状のプレートであって第二内壁４と間隔をおいて平行に立設されており、第二内壁４と前方壁５と底板１と側壁６、６とで第三隔室９が形成されている。
【００２９】
第三隔室９は、図１に示されるように、固定仕切片９４、９４が前後方向に挿入固定されてこれにより左収納部９１と右収納部９２と中央収納部９３とに区画されている。固定仕切片９４、９４が第三隔室に配置される位置は特に限定されず適宜選択可能である。本実施例では、左右端部からそれぞれ約６５ｍｍの間隔を置いた位置、すなわち、前方壁５の中央のコ字形状部の両端縁の位置に沿って、固定仕切片９４、９４が前後方向に配置されている。固定仕切片の高さは適宜選択可能であるが、本実施例では、第二内壁４の高さと同一の構成としている。
【００３０】
中央収納部９３は、第一小物ボックスＢ１、第二小物ボックスＢ２、第三小物ボックスＢ３が嵌合可能になっており、これらのボックスが横方向にスライド可能に構成されている。前述の如く、本実施例では、前方壁５は略中央部の高さが第二内壁よりも低くなり略コ字形状に形成されているので、中央収納部９３の前方壁５３の高さは、左右収納部９１、９２の前方壁５１、５２の高さよりも低く形成されており、各小物ボックスの高さは、中央収納部９３の前方壁５３の高さと略同一としているが、それに限定されるものではない。
【００３１】
第一小物ボックスＢ１、第二小物ボックスＢ２、第三小物ボックスＢ３は、中央収納部９３に着脱可能とされているので、中央収納部９３に装着しないことも可能である。例えば、中央収納部９３に長尺物を収納したい場合には、中央収納部９３に装着されている各小物ボックスＢ１、Ｂ２、Ｂ３を取り外すことで、中央収納部９３に長尺物を収納可能なスペースができるので、容易に長尺物の収納が可能となる。
【００３２】
左収納部９１、右収納部９２には図１に示されるような、ペンスタンド蓋Ｃを装着することが可能である。こうすることで、ペンや鉛筆などをスタンド蓋の孔に係止しつつ収納することが可能となり、ペンや鉛筆などの収納の安定性が向上する。なお、ペンスタンド蓋Ｃの材質は特に限定されないが、本実施例ではアルミ製のものとしている。
【００３３】
また、左右収納部９１、９２には少なくとも一対のリブが対角の下端角部から高さ方向に延出形成されている。リブの高さは限定されないが、本実施例では、図５に示されるように、第三小物ボックスＢ３が右収納部９２に嵌合された場合に、第三小物ボックスＢ３の高さとリブ９２２の高さとの合計は右収納部前方壁５２の高さに等しくなるように構成している。
リブの形状は、第三小物ボックスＢ３を支持可能なものであれば特に限定されない。リブの材質は、左右収納部と材質が同じの熱可塑性の合成樹脂であることが好ましい。さらに、一対のリブの配置は、対角配置であればよく、いずれの対角でもよい。
【００３４】
第三小物ボックスＢ３は、図１に示されるように、底部がやや丸く底上げされた上方に開口する箱体であって、中央収納部９３と左右収納部９１、９２のいずれにも装着することが可能な構成となっており、例えば、右収納部９２に装着される場合には、図５に示されるように、右収納部９２の下方に空隙を設けて、一対のリブ９２１、９２２によって支持される構成とされている。
【００３５】
このような構成になっているので、左右収納部９１、９２の内部に収納されている収納物の上方にデッドスペースがある場合に、上下方向のスペースの無駄がなく整理して収納可能である。例えば、右収納部９２の下方に収納物が収納されているが、上方にデッドスペースがある場合には、この第三小物ボックスＢ３を装着することにより、上方のスペースが有効利用される。すなわち、右収納部９２の下方に収納物を入れた状態で、その上方に第三小物ボックスＢ３が装着されることとなり上下方向のスペースの無駄がなく整理して収納可能となるものである。さらに、第三小物ボックスＢ３は着脱可能であるので、収納部下方に収納された収納物を容易に取り出すことができる。
【００３６】
本考案に係る卓上整理ケースＡの各壁の高さは、後方から前方にゆくにしたがって順次低く構成されている。すなわち、図４に示されるように、第一内壁３は、後方壁２よりも高さが低く形成されており、第二内壁４は、第一内壁３よりも高さが低く形成されている。そして、中央収納部の前方壁５３は、第二内壁４よりも高さが低く形成されている。
【００３７】
各壁の高さは特に限定されないが、極端に前方の壁の高さが低い構成とすると、収納物が前のめりになり収納物の収納状態が安定しないことになる。そこで、後方から前方にゆくにしたがって４分の１程度高さが低くなる構成が好ましい。すなわち、本実施例では、後方壁２の高さは１８０ｍｍとし、第一内壁３の高さは１３５ｍｍであり、第二内壁４の高さは９０ｍｍであり、中央収納部の前方壁５３の高さは４５ｍｍとなっており、前方にゆくにしたがって４分の１程度高さが順次低くなる構成としている。
【００３８】
このように各壁の高さは、後方から前方にゆくにしたがって順次低くなる構成となっているので、収納物全体が前方の壁に遮られてその所在が分からなくなることがない。すなわち、第一内壁３の高さは後方壁２の高さよりも低いので、前方から見た場合に第一隔室７の収納物は、前方の壁である第一内壁３によって全体が遮られることがなく、収納物の色やラベルなどの特徴が外観からわかるので、書類、ファイルなどの収納物の所在が、容易に分かるものである。
【００３９】
同様に、第二内壁４の高さは第一内壁３の高さよりも低いので、前方から見た場合に第二隔室８の収納物は、前方の壁である第二内壁４によって全体が遮られることがなく、伝票、ハガキなどの収納物の所在が容易に分かるものである。
【００４０】
また、中央収納部の前方壁５３の高さは第二内壁４の高さよりも低いので、前方から見た場合に第三隔室９の収納物は、前方の壁である前方壁５によって全体が遮られることがなく、クリップなどの収納物の所在が、容易に分かるものである。
なお、本実施例では、前方壁５は、中央収納部の前方壁５３の高さが第二内壁４よりも低くなり、左右収納部の前方壁５１、５２の高さが第二内壁４の高さと同じとなる略コ字形状の構成とした。この構成によれば、第三小物ボックスＢ３によって、左右収納部５１、５２の上方のスペースの有効利用することが可能となるが、この構成に限定されるものではない。すなわち、前方壁５が均一に第二内壁４よりも高さが低い構成としてもよいことはもちろんである。
【００４１】
このように、後方壁２から前方壁５にゆくにつれてその高さが低く形成されているが、これらの壁は間隔をおいて略平行に立設されている。各壁の配置間隔は特に限定されるものではない。本実施例では、後方壁２と第一内壁３との間隔、第一内壁３と第二内壁４との間隔、第二内壁４と前方壁５との間隔はいずれも約３８ｍｍとしている。また、それぞれの間隔は均等でなくてもよく、適宜選択可能である。
【００４２】
側壁６は、後方壁２と第一内壁３と第二内壁４と前方壁５の側面で接合されている。側壁６、６の高さは特に限定されないが、前述のように本考案に係る卓上整理ケースＡの各壁の高さは、後方から前方にゆくにしたがって順次低く構成されている。したがって、側壁６の高さも、後方壁と接合している端部から前方壁と接合している端部にゆくにつれて低くなる構成であることが好ましい。
このような構成とすることで、斜め方向から本卓上整理ケース内の収納物を観た場合でも、収納物全体が側壁６に遮られることなく、収納物の色やラベルなどの特徴が外観からわかるので、収納物の所在が容易に分かることができる。本実施例では、前方壁５と接合している側壁の端部は、後方壁２と接合している端部よりもその高さが低い構成となっている。
【００４３】
使用においては、本考案に係る卓上整理ケースＡは、大きいサイズのＡ４書類やファイルなどは第一隔室７に収納される。
ハガキ、伝票、電卓などは第二隔室８に収納される。すなわち、仕切片８１の側端部を適宜に嵌合溝３１、４１に嵌合して、第二隔室８を所望の横幅に区画してその区画領域にハガキ、伝票、電卓などが収納される。また、高さの低い収納物が収納されており、第二隔室８の上方にデッドスペースがある場合には、小物ボックスＢ１、Ｂ２、Ｂ３を第二隔室に嵌合することで、収納スペースの無駄がなく整理収納できる。
【００４４】
そして、第三隔室９の左右収納部９１、９２においては、タバコの箱、携帯電話などの携帯品などが適宜収納される。
中央収納部９３には、小物ボックスＢ１、Ｂ２が必要に応じて嵌めこまれる。この小物ボックスＢ１、Ｂ２は横方向にスライド可能に構成されているので、中央収納部９３内の任意の場所に配置可能である。この小物ボックスＢ１、Ｂ２には判子や消しゴム、ホッチキスの箱などの小振りのこまごました事務文具用品が収納される。
また、第三小物ボックスＢ３は、適宜必要に応じて、中央収納部９３の内部に装着されてもよく、また左右収納部９１、９２のいずれの内部に装着されることも可能である。
【００４５】
このように異なる大きさの収納物をその大きさに応じて、適宜整理して収納することが可能であり、各壁に収納物全体が遮られることがないので、収納物の所在も容易に判明するものであって、ことさら探す手間を要さないものである。
また、別の部屋、場所などで事務作業を行う必要性から、事務小物を移動させたい場合には、本考案に係る卓上整理ケースＡを開口部にて握持することにより移動させればよい。こうすることで別の場所での事務作業に必要な事務用品を一括して極めて容易に迅速に移動させることが可能となり事務作業の効率が向上するものである。
さらに、小物ボックスを適宜組み合わせることによって、収納物の形状に応じて横方向及び上下方向のスペースの無駄がなく整理して収納することができるものである。
【図面の簡単な説明】
【００４６】
【図１】本考案の一実施例を示す卓上整理ケースＡの外観斜視図である。
【図２】本考案の卓上整理ケースの平面図である。
【図３】図２のＸ−Ｘ線にて切り欠いた本考案の卓上整理ケースの正面視断面図である。
【図４】図２のＹ−Ｙ線での断面図である。
【図５】図２のＺ−Ｚ線での断面図である。
【符号の説明】
【００４７】
１    底板
２    後方壁
３    第一内壁
４    第二内壁
５    前方壁
６    側壁
７    第一隔室
８    第二隔室
９    第三隔室
１１  支持突片
２１  開口部
３０  突起
３１  嵌合溝
４０  突起
４１  嵌合溝
８１  仕切片
９１  左収納部
９２  右収納部
９３  中央収納部
９４  固定仕切片
９１１  リブ
９１２  リブ
９２１  リブ
９２２  リブ
Ａ    卓上整理ケース
Ｂ１  第一小物ボックス
Ｂ２  第二小物ボックス
Ｂ３  第三小物ボックス
【図１】
0003117376.tif 000003
【図２】
0003117376.tif 000004
【図３】
0003117376.tif 000005
【図４】
0003117376.tif 000006
【図５】
0003117376.tif 000007